(57)【要約】  【課題】  本発明では、コンパクトに折り畳んだ便座を邪魔にならず、衛生的に収納できるの幼児用便座収納具、及び、幼児用便座セットの提供を目的とする。  【解決手段】  大人用の便座Ａ上に取り付けて幼児が載上する幼児用便座１１を、２つ以上の板部材１３、１４、１５、１６における各端部どうしを折畳み可能に接続して形成し、折り畳んだ状態の上記幼児用便座１１を起立させた状態で載置可能な載置部３１を、上記板部材１３、１４、１５、１６における一方の端部側が載置可能な大きさを備えて形成し、上記板部材１３、１４、１５、１６における他方の端部側を拘束して上記幼児用便座を起立状態に維持する拘束手段３８ａ、３８ｂを、上記載置部の上方に有して上記幼児用便座１１を収納する幼児用便座収納具１２。  【選択図】    図１
2005218603.tif 000002
【特許請求の範囲】
【請求項１】
大人用の便座上に取り付けて幼児が載上する幼児用便座を、２つ以上の板部材における各端部どうしを折畳み可能に接続して形成し、
折り畳んだ状態の上記幼児用便座を起立させた状態で載置可能な載置部を、上記板部材における一方の端部側が載置可能な大きさを備えて形成し、
上記板部材における他方の端部側を拘束して上記幼児用便座を起立状態に維持する拘束手段を、上記載置部の上方に有して上記幼児用便座を収納する
幼児用便座収納具。
【請求項２】
前記幼児用便座を、所定の部位を切り欠いた環形状に形成するとともに、該環形状を略４等分配した４つの前記板部材で形成し、
上記幼児用便座が収納可能な大きさを有するとともに、前記載置部を底板とする上面が開口した便座収納容器を形成し、
前記載置部の上方を、上記便座収納容器における上記板部材の他方の端部側が当接する部位に設定し、
前記拘束手段を、上記便座収納容器における上記板部材の他方の端部側を嵌め込んで拘束可能な凹溝部で形成した
請求項１に記載の幼児用便座収納具。
【請求項３】
前記載置部に複数の挿通孔を形成した
請求項１、又は２に記載の幼児用便座収納具。
【請求項４】
略同大の４つの板部材における端部どうしを接続して折畳み可能に形成するとともに、所定の部位を切り欠いた環形状に形成した幼児用便座を備え、
上記幼児用便座を折り畳んだ後、互いに重合した状態の上記板部材が起立した状態に、該板部材における一方の端部側が載置可能な大きさを底面とする上面が開口した便座収納容器を形成するとともに、
上記便座収納容器における上記板部材の他方の端部側が当接する部位を該板部材の他方の端部側を嵌め込んで拘束可能な凹溝状に形成した幼児用便座収納具を備えて、
上記幼児用便座を上記幼児用便座収納具に収納して使用する
幼児用便座セット。
【発明の詳細な説明】
【技術分野】
【０００１】
この発明は、洋式便器の便座上に、幼児が載上し易くするために取り付けて用いられる幼児用便座カバーに関する。
【背景技術】
【０００２】
通常、洋式便器は、便座を大人用のサイズで形成している。このため、幼児であっても、安全、且つ安定して便座に載上可能とするために、例えば、先行技術１（特許文献１参照）の幼児用便座が提案されている。  
上記幼児用便座は、２つの半環状便座板部の端部を布状蝶番等の接続部材で接続して折り畳みが可能に形成している。このため、例えば上記幼児用便座の使用者（幼児）が外出時においては、保護者が上記幼児用便座を折り畳んだ後、ビニール袋等に収納した状態で鞄に入れて携帯することができる。  
すなわち、公衆トイレ等の外出先の洋式トイレにおいて、上記幼児用便座を取り付ければ、幼児は、抵抗感なく洋式トイレを使用することができる。
【０００３】
しかし、上記幼児用便座は、家庭のトイレで用いる場合、不使用時においては、その扱いに苦慮する。例えば、上記幼児用便座は、２つ折りに折り畳んだ状態でトイレ内の壁に立て掛けておくことも難しい。
【０００４】
具体的には上記幼児用便座は、上記接続部材側を床面に接地して立て掛けても、対向させている２枚の半環状便座板部が離間する方向に力が作用して、折り畳んだ状態から不用意に開いてしまう。  
反対に半環状便座板部側を床面に接地して立て掛けても、上記半環状便座板部は、湾曲形状のため不安定であり、傾倒してしまう。
【０００５】
また、上記幼児用便座を上記トイレの床に直接、載置しておくことは、上記幼児用便座における表面裏面のいずれの側の面であっても、次回便座に取り付けて使用する上でかなりの抵抗感を伴う。
【０００６】
さらに、通常、家庭用のトイレは、スペースが限られているため、床に載置して収納すると邪魔になる。ところが、上記幼児用便座をトイレの外に持ち出して収納しておくことは、やはり不衛生であり得策でない。
【０００７】
【特許文献１】実開平２−１２４０９９号公報
【発明の開示】
【発明が解決しようとする課題】
【０００８】
そこで本発明では、コンパクトに折り畳んだ便座を邪魔にならず、衛生的に収納できるの幼児用便座収納具、及び、幼児用便座セットの提供を目的とする。
【課題を解決するための手段】
【０００９】
本発明の幼児用便座収納具は、大人用の便座上に取り付けて幼児が載上する幼児用便座を、２つ以上の板部材における各端部どうしを折畳み可能に接続して形成し、折り畳んだ状態の上記幼児用便座を起立させた状態で載置可能な載置部を、上記板部材における一方の端部側が載置可能な大きさを備えて形成し、上記板部材における他方の端部側を拘束して上記幼児用便座を起立状態に維持する拘束手段を、上記載置部の上方に有して上記幼児用便座を収納することを特徴とする。
【００１０】
上記幼児用便座は、上述のとおり、２以上の板部材を接続して２つ折り以上が可能に形成したものを対象とするが、好ましくは上記幼児用便座を、所定の部位を切り欠いた環形状に形成するとともに、該環形状を略４等分配した形態の４つの前記板部材を用いて形成するとよい。これにより、２つ折りタイプの幼児用便座と比較してコンパクトに折り畳むことができる。
【００１１】
なお、板部材における端部どうしの接続は、ヒンジ（蝶番）、布状の部材等を用いて折畳み可能に接続するとよい。
【００１２】
幼児用便座収納具は、上記載置部を例えば、板状の部材で形成することができる。或いは、幼児用便座収納具は、上記載置部を底板とする上面が開口した便座収納容器を備えて形成することができる。
【００１３】
特に、上記幼児用便座収納具は、上記載置部を底板とする便座収納容器を供えて形成した場合、上記前記載置部には、複数の挿通孔を備えて形成するとよい。  
これにより、幼児用便座収納具は、水や洗剤等を用いて洗浄後に上記便座収納容器内の水等を、上記挿通孔を通じて排水することができる。
【００１４】
上記拘束手段は、例えば、合成樹脂などの幼児用便座収納具を形成する部材よりも摩擦力が大きいゴム部材等の他の部材で形成することができる。上記ゴム部材等の他の部材を、上記幼児用便座を折り畳んだ状態で上記板部材の一方の端部を載置部に載置して起立させた状態で、他方の端部側と当接可能に形成すれば、該他の部材は、幼児用便座収納具を傾倒しないよう摩擦力により拘束することができる。
【００１５】
さらに、上記拘束手段は、上記板部材の一方の端部を、嵌め込み可能な間隔を備えて突き出した２本の突起部で形成することができる。その他、磁石等の固定手段を用いて形成してもよいが、好ましくは、前記載置部の上方を、上記便座収納容器における上記板部材の他方の端部側が当接する部位に設定し、前記拘束手段を、上記便座収納容器における上記板部材の他方の端部側を嵌め込んで拘束可能な凹溝部で形成するとよい。  
上記構成を採れば、幼児用便座収納具は、幼児用便座を容易に収納、或いは取り出すことができる。しかも確実に拘束することができる。
【００１６】
また、本発明の幼児用便座セットは、略同大の４つの板部材における端部どうしを接続して折畳み可能に形成するとともに、所定の部位を切り欠いた環形状に形成した幼児用便座を備え、該幼児用便座を折り畳んだ後、互いに重合した状態の上記板部材が起立した状態に、該板部材における一方の端部側が載置可能な大きさを底面とする上面が開口した便座収納容器を形成するとともに、上記便座収納容器における上記板部材の他方の端部側が当接する部位を該板部材の他方の端部側を嵌め込んで拘束可能な凹溝状に形成した幼児用便座収納具を備えて上記幼児用便座を上記幼児用便座収納具に収納して使用することができる。
【発明の効果】
【００１７】
この発明によれば、本発明の幼児用便座セットは、幼児用便座を折り畳んで幼児用便座収納具に起立した状態でコンパクトに収納することができる。よって、トイレに設置しても邪魔にならない。
【００１８】
しかも、幼児用便座は、幼児用便座収納具における前記載置部に載置するとともに、前記拘束手段で拘束するため、傾倒することがなく、安定して収納することができる。  
特に、上記拘束手段を凹溝状に形成すれば、幼児用便座収納具に対する幼児用便座の収納、取り出しの動作を容易に行うことができる。
【００１９】
前記載置部は、挿通孔を備えて形成すれば、水はけが向上するため、幼児用便座を収納した状態のまま水洗いすることができ、掃除を容易に行うことができる。
【００２０】
さらに、幼児用便座は起立状態に収納するため、水が幼児用便座の表面に付着し難くなり、次に使用する際、快適に使用することができる。
【発明を実施するための最良の形態】
【００２１】
この発明の一実施形態を、以下図面を用いて説明する。  
本実施例における幼児用便座セット１０は、図１に示すごとく、洋式の大人用便座に取り付けて幼児が載上する幼児用便座１１と、該幼児用便座１１を収納する幼児用便座収納具１２とから成り、家庭内のトイレや公衆トイレなどの床面に設置して用いられる。  
なお、図１は、幼児用便座１１を幼児用便座収納具１２に収納した状態の幼児用便座セット１０を後方側斜め上方から視た説明図である。
【００２２】
ここで、まず上記幼児用便座１１の構成について図２、図３を用いて説明する。上記幼児用便座１１は、略全体を合成樹脂製で形成し、４枚の板部材における各端部どうしを、裏面からヒンジ１７ａ、１７ｂ、１７ｃを用いて接続して構成している。
【００２３】
このように構成すれば、上記幼児用便座１１は、便座Ａに載上させて平面視したとき、便器の前端側に対応する部位を切り欠いた環形状に構成することができる（図２参照）。
【００２４】
さらに、上記４枚の板部材（１３、１４、１５、１６）は、便座Ａ上に取り付けた上記幼児用便座１１に幼児が着席したとき、幼児の右側後方に位置する右側後方板部材１３、左側後方に位置する左側後方板部材１４、右側前方に位置する右側前方板部材１５、及び左側前方に位置する左側前方板部材１６から成る。
【００２５】
上記４枚の板部材は、それぞれ略同一形態に形成しているが、以下、上記各板部材の具体的な形態について説明する。
【００２６】
上記右側後方板部材１３は、環形状を４等分配した形状で形成しているが、平面視すると円弧状をした外周部沿いにおける中間部から外側に突き出した突出し部１３ａを形成している。さらに、上記突出し部１３ａの裏面は、上記幼児用便座１１を便座Aに確実に取り付けるためのパット部材１８を添着している。
【００２７】
加えて、上記右側後方板部材１３の環形状の外周部側には、表面側に緩やかに膨出した膨出部１３ｂを形成している。上記膨出部１３ｂの膨出量は、上記右側後方板部材１３における左側後方板部材接続端部２１（以下、左側後方端部２１とする）から右側前方板部材接続端部２２（以下、右側前方端部２２とする）にかけて徐々に少なくなるよう形成している。  
なお、上記膨出部１３ｂにより、幼児が載上したときの安定性を向上させることができるとともに、リブとしての機能も発揮して、幼児用便座１１全体の強度も向上させることができる。
【００２８】
さらに、上記４つの板部材は、裏面における外周端部沿いに鍔部１３ｃを形成している（図３参照）。特に、上記右側後方板部材１３における左側後方端部２１は、上記左側後方板部材１４の右側後方板部材接続端部２３（以下、右側後方端部２３とする）を嵌め込み可能に鍔部１３ｃを形成し、上記右側後方板部材１３における右側前方端部２２は、右側前方板部材１５における右側後方板部材接続端部２５（以下、右側後方端部２５とする）を嵌め込み可能に鍔部１３ｃを形成している。
【００２９】
一方、上記左側後方板部材１４は、上記右側後方板部材１３と略左右対称形状に形成しており、上記右側後方板部材１３と同様にパッド部材１８も添着している。また、上記左側後方板部材１４における左側前方板部材接続端部２４（以下、左側前方端部２４とする）は、上記左側前方板部材１６における左側後方接続端部２６（以下、左側後方端部２６とする）を嵌め込み可能に鍔部１４ｃを形成している。
【００３０】
最後に、上記右側前方板部材１５と上記左側前方板部材１６とは、互いに左右対称形状で形成している。上記右側前方板部材１５、及び上記左側前方板部材１６の鍔部１５ｃ、１６ｃは、外周部における前方側部位において、特に下方に突き出して形成している。  
そして、上記右側前方板部材１５、及び上記左側前方板部材１６における上記前方側部位の上記鍔部１５ｃ、及び１６ｃの内周側には、上述と同様にパッド部材１８、１８をそれぞれ添着している。
【００３１】
上述した４つの板部材どうしの接続は、まず上記左側後方板部材１４の右側後方端部２３を上記右側後方板部材１３の左側後方端部２１に嵌め込んだ形態でヒンジ１７ａによって接続している。  
さらに、上記左側前方板部材１６の左側後方端部２６を上記左側後方板部材１４の左側前方端部２４に嵌め込んだ形態でヒンジ１７ｂによって接続している。そして、上記右側前方板部材１５の右側後方端部２５は、上記右側後方板部材１３の右側前方端部２２に嵌め込んだ形態でヒンジ１７ｃによって接続している。  
以上により、幼児用便座１１を構成している。
【００３２】
上記構成の幼児用便座１１を折り畳む場合、まず図４（ａ）、（ｂ）に示すごとく、使用者は、上記右側前方板部材１５を上記右側後方板部材１３側に、上記左側前方板部材１６を上記左側後方板部材１４側に、互いの裏面が対向する形態にそれぞれ折り畳む（図４（ａ）参照）。さらに、使用者は、上記右側後方板部材１３と上記左側後方板部材１４とを接続しているヒンジ１７ａを折り畳めば、右側前方板部材１５と左前方板部材とが対向した形態に幼児用便座１１を折り畳むことができる（図４（ｂ）参照）。  
以上の手順により、使用者は、幼児用便座１１を４つの板部材のうちの右側後方板部材１３と略同じ大きさに折り畳むことができる。
【００３３】
次に、幼児用便座収納具１２の形態について図５から図１０を用いて説明する。  
上記幼児用便座収納具１２は、上面が開口し、前側面３２から後方向に進むにつれて、左右側面が緩やかに低くなり、後側面３５も略開口した形態にその高さが低い形態で形成している。
【００３４】
一方、幼児用便座収納具１２における底板に位置するとともに、上記幼児用便座１１を載置する載置部３１は、折り畳んだ幼児用便座１１における上記右側後方板部材１３の右側前方端部２２、及び上記左側後方板部材１４の左側前方端部２４を載置可能な幅を備えて形成している。
【００３５】
上記載置部３１上に、折り畳んだ幼児用便座１１における上記右側前方端部２２、及び上記左側前方端部２４を載置すると、幼児用便座１１は、起立した状態で収納することができる。
【００３６】
また、上記載置部３１における前後方向、すなわち長手方向については、上記起立した状態で幼児用便座１１を載置部３１に載置したとき、幼児用便座１１の長さよりもやや短い長さで形成している。  
さらに、載置部３１における中央部よりもやや後方側には、載置部３１の幅方向に５つの貫通孔３６を並設している（図８参照）。
【００３７】
加えて、載置部３１の裏面には、上記幼児用便座収納具１２を床面に設置したとき、滑動することを防止するためのパッド部材３７を添着している（図９参照）。
【００３８】
また、上記前側面３２は、上記折り畳んで起立した状態の幼児用便座１１を載置部３１に載置したとき、右側後方板部材１３の左側後方端部２１、及び左側後方板部材１４の右側後方端部２３における各下端部２１ａ、２３ａの高さよりもやや（１ｃｍから２ｃｍ程度）高い高さを備えている（図６、図１１参照）。
【００３９】
さらに、上記前側面３２の上端部における略中間部位には、収納した幼児用便座１１の上記右側後方板部材１３と上記左側後方板部材１４とが位置する距離を隔てた部位に、凹状に切り欠いた形状に凹溝部３８ａ、３８ｂを合計２つ形成している（図６参照）。
【００４０】
上記凹溝部３８ａ、３８ｂは、左側後方接続端部２１、及び右側後方接続端部２３における各下端部２１ａ、２３ａの高さにそれぞれ対応した溝深さで、それぞれ異なる溝深さに形成している。  
すなわち、上記幼児用便座１１は、折り畳んだとき、上記右側後方板部材１３における左側後方接続端部２１の下端部２１ａ側が、上記左側後方板部材１４における右側後方接続端部２３の下端部２３ａと比較して下側に位置する。  
よって、上記左側後方接続端部２１の下端部２１ａを嵌め込む側の凹溝部３８ａの方が、上記右側後方接続端部２３の下端部２３ａを嵌め込む側の凹溝部３８ｂと比較して、より溝深に形成している。  
なお、上記２つの凹溝部３８ａ、３８ｂの上端部は面取り加工を施して（Ｒを付して）いる。
【００４１】
また、上記左右各側面３３、３４については、下降するに従って、前側部、中間部、後側部の３部位においてが緩やかに膨出した形状に変曲させて形成することで美観を向上させている。
【００４２】
また、上記形態を採る幼児用便座収納具１２は、上記各側面を一体に形成し、容器の内側、外側に関わらず、隅部をＲ状に形成している。
【００４３】
上記形態の幼児用便座収納具１２は、例えば家庭用のトイレ、あるいは公衆トイレの床面の隅部などに載置しておくだけで、上記幼児用便座１１を収納して保管しておくことができる。
【００４４】
ここで、上記構成を採る幼児用便座収納具１２に、幼児用便座１１を収納する場合、使用者は、まず上述したとおり幼児用便座１１を折り畳み、載置部３１における後側に載置する。その際、図１１に示すごとく、使用者は幼児用便座１１における上記右側後方板部材１３の左側後方接続端部２１と、上記左側後方板部材１４の右側後方接続端部２３とにおける各下端部２１ａ、２３ａを、該各下端部２１ａ、２３ａに対応する凹溝部３８ａ、３８ｂに嵌り込んで幼児用便座１１を収納することができる。  
このように収納すれば、図１２に示すごとく左側後方接続端部２１、及び右側後方接続端部２３が幼児用便座収納具１２における前側面３２から前方側に突き出した形態となる。  
なお、図１２は、幼児用便座収納具１２の幅方向における凹溝部３８ａの有する長手方向における断面図である。
【００４５】
このような形態で収納することにより、幼児用便座１１における上記各下端部２１ａ、２３ａは、それぞれ左右両側から凹溝部３８ａ、３８ｂにより拘束（規制）されているため、幼児用便座１１が、左右方向に傾倒してしまうことがない。
【００４６】
さらに、幼児用便座１１は、上記形態で載置部３１に載置すれば、重心が前側に偏るため、前方側に傾倒し易い姿勢で載置されることとなる。しかし、幼児用便座収納具１２における上記各凹溝部３８ａ、３８ｂは、幼児用便座１１における上記下端部２１ａ、２３ａが位置する溝深さに対応させて形成しているため、幼児用便座１１が前方側に傾倒する際においても各凹溝部３８ａ、３８ｂの底部に上記各下端部２１ａ、２３ａをそれぞれ当接させて、その傾倒しようとする動きを拘束することができる。
【００４７】
以上により、幼児用便座収納具１２における上記各凹溝部３８ａ、３８ｂは、起立状態の幼児用便座１１にとって不安定な方向である前方向、及び左右方向へ傾倒する動作を拘束することができるため、幼児用便座１１を安定して収納することができる。
【００４８】
さらに、このように起立状態で収納することで、幼児用便座収納具１２は、場所をとらず、コンパクトに幼児用便座１１を収納することができる。加えて、上述するごとく、幼児用便座収納具１２は、上記各凹溝部３８ａ、３８ｂを、幼児用便座１１を拘束する手段として形成すれば、幼児用便座１１の取り出し、収納する方向においては、幼児用便座１１を拘束する力は作用しない。  
よって、使用者は、幼児用便座１１の取り出し、収納する動作を容易に行うことができる。
【００４９】
さらに、使用者は、幼児用便座１１を掃除する場合は、幼児用便座収納具１２に収納した状態のまま、上方から水や洗剤等を付与するとよい。これにより、上記左側後方板部材１４と上記右側後方板部材１３との間に水等が入り込み、左側前方板部材１６、右側前方板部材１５も清潔に洗浄することができる。
【００５０】
そして、幼児用便座収納具１２内に有する水や洗剤等は、載置部３１に形成した上記挿通孔３６から排水した後、載置部３１の下面に添着したパッド部材３７を取り付けていることにより生じる隙間を通じて排水し、除去することができる。
【００５１】
また、幼児用便座１１は、上記形態で起立させて収納すれば、上部に膨出部１３ｂ、１４ｂが位置することになる。このような形態で収納すれば、仮に、下部に膨出部１３ｂ、１４ｂが位置させた形態で収納した場合のように、上部から垂下する水滴が膨出部１３ｂ、１４ｂ内に貯水してしまうこともなく、水分を効率よく除去することができる。
【００５２】
しかも、幼児用便座収納具１２内の隅部は全てＲを付して形成しているため、雑巾等で拭き取る際も水分や埃が隅部に残留せず確実に拭き取ることができる。
【００５３】
また、この発明は、上述の実施形態の構成のみに限定されるものではなく、多くの実施の形態を得ることができる。
【図面の簡単な説明】
【００５４】
【図１】本発明の幼児用便座セットを後方側斜め上方から視た説明図。
【図２】本発明の幼児用便座の平面図。
【図３】本発明の幼児用便座の底面図。
【図４】本発明の幼児用便座の折り畳む過程を表した説明図（ａ）、本発明の幼児用便座を折り畳んだ状態を表す説明図（ｂ）。
【図５】本発明の幼児用便座収納具を斜め上方から視て表した説明図。
【図６】本発明の幼児用便座収納具の正面図。
【図７】本発明の幼児用便座収納具の右側面図。
【図８】本発明の幼児用便座収納具の平面図。
【図９】本発明の幼児用便座収納具の底面図。
【図１０】本発明の幼児用便座収納具の背面図。
【図１１】本発明の幼児用便座セットを正面から視た状態を表す説明図。
【図１２】本発明の幼児用便座セットの所定部位を断面で表した説明図。
【符号の説明】
【００５５】
１０…幼児用便座セット
１１…幼児用便座
１２…幼児用便座収納具
３１…載置部
３８ａ、３８ｂ…凹溝部
【図１】
2005218603.tif 000003
【図２】
2005218603.tif 000004
【図３】
2005218603.tif 000005
【図４】
2005218603.tif 000006
【図５】
2005218603.tif 000007
【図６】
2005218603.tif 000008
【図７】
2005218603.tif 000009
【図８】
2005218603.tif 000010
【図９】
2005218603.tif 000011
【図１０】
2005218603.tif 000012
【図１１】
2005218603.tif 000013
【図１２】
2005218603.tif 000014